(57)【要約】【課題】ボデーへのラジエータの組み付けを容易に行うことができるラジエータ組付構造を提供する。【解決手段】ラジエータ組付構造１は、ラジエータ２をラジエータサポート部材３を介してボデーに組み付ける構造である。ラジエータ２の両側面には、アイドリング時にラジエータ２とラジエータサポート部材３との間から熱風が回り込むことを防止するためのシール材６が貼り付けられている。各シール材６の上側部分には、ラジエータ２をラジエータサポート部材３に支持するための突起部７が設けられている。ラジエータサポート部材３は、Ｕ字型のラジエータサイドサポート８と、ラジエータサイドサポート８の上端部に連結されるラジエータアッパサポートとを有している。ラジエータサイドサポート８の両側部８ｂには、シール材６の突起部７と嵌合する挿通孔１１が形成されている。【選択図】図２
2014210466.tif 000002
【特許請求の範囲】
【請求項１】
ラジエータをボデーのラジエータサポート部材に組み付けるラジエータ組付構造において、
前記ラジエータの縁部には、前記ラジエータと前記ラジエータサポート部材との間からの熱風の回り込みを防止するためのシール材が固定されており、
前記シール材には、前記ラジエータを前記ラジエータサポート部材に支持するための突起部が設けられており、
前記ラジエータサポート部材には、前記突起部と嵌合する穴部が設けられていることを特徴とするラジエータ組付構造。
【請求項２】
前記シール材は、前記ラジエータの両側面に固定されており、
前記突起部は、前記ラジエータの側方に突出するように前記シール材に設けられており、
前記穴部は、前記ラジエータサポート部材のラジエータサイドサポートに設けられていることを特徴とする請求項１記載のラジエータ組付構造。
【請求項３】
前記突起部は、前記シール材の上側部分に設けられていることを特徴とする請求項２記載のラジエータ組付構造。
【発明の詳細な説明】
【技術分野】
【０００１】
本発明は、ラジエータをボデーに組み付けるラジエータ組付構造に関するものである。
【背景技術】
【０００２】
従来のラジエータ組付構造としては、例えば特許文献１に記載されているものが知られている。特許文献１に記載のラジエータ組付構造は、ラジエータのアッパタンクに設けられたラジエータ取付用枠体にアッパゴムブッシュを収容し、そのアッパゴムブッシュのピン挿着孔にラジエータブラケットの挿入ピンを挿入し、更にブラケット取付ボルトでラジエータブラケットをフロントアッパメンバに取り付けると共に、ラジエータのロアタンクに取り付けられたロアゴムブッシュをフロントロアメンバのゴム挿着孔に挿着することにより、ラジエータを車体に弾性支持するというものである。
【先行技術文献】
【特許文献】
【０００３】
【特許文献１】特開平１０−１８８４３号公報
【発明の概要】
【発明が解決しようとする課題】
【０００４】
ラジエータ組付構造としては、上記従来技術のようにブラケットを介してラジエータをラジエータアッパサポートに取り付けるタイプの他に、ラジエータをラジエータアッパサポートに直接取り付けるタイプがある。このようなラジエータをラジエータアッパサポートに直接取り付けるタイプでは、ボデーへのラジエータの組み付け時に、ラジエータを仮固定して自立させることができない。このため、製造工場において、組付用治具を使用したり、突起を出して他部品に引っ掛けたり、作業者がラジエータを手で持って支える等といった対応をしている。従って、ラジエータの組み付けに手間がかかり、生産性が悪くなるという問題がある。
【０００５】
本発明の目的は、ボデーへのラジエータの組み付けを容易に行うことができるラジエータ組付構造を提供することである。
【課題を解決するための手段】
【０００６】
本発明は、ラジエータをボデーのラジエータサポート部材に組み付けるラジエータ組付構造において、ラジエータの縁部には、ラジエータとラジエータサポート部材との間からの熱風の回り込みを防止するためのシール材が固定されており、シール材には、ラジエータをラジエータサポート部材に支持するための突起部が設けられており、ラジエータサポート部材には、突起部と嵌合する穴部が設けられていることを特徴とするものである。
【０００７】
このように本発明のラジエータ組付構造は、熱風の回り込みを防止するためのシール材を利用して、ボデーへのラジエータの組み付けを行うものである。即ち、ラジエータの組み付け時には、シール材の突起部をラジエータサポート部材の穴部に嵌め込むことで、ラジエータをラジエータサポート部材に支持する。このため、組付用治具等を使用したり、作業者が手でラジエータを支えなくても、ラジエータを自立させることができる。これにより、ボデーへのラジエータの組み付けを容易に行うことができる。また、シール材としてゴムを使用する場合には、突起部が弾性変形するため、突起部を穴部に嵌め込みやすくなる。この場合には、ラジエータの組み付けを更に容易に行うことができる。さらに、突起部が穴部に嵌め込まれるため、シール材が捲れにくくなる。従って、シール材によるシール性を向上させることができる。
【０００８】
好ましくは、シール材は、ラジエータの両側面に固定されており、突起部は、ラジエータの側方に突出するようにシール材に設けられており、穴部は、ラジエータサポート部材のラジエータサイドサポートに設けられている。この場合には、ラジエータの左右両側において、シール材の突起部がラジエータサイドサポートの穴部に嵌め込まれるため、ラジエータがラジエータサポート部材に確実に支持されるようになる。これにより、ラジエータの組み付けを一層容易に行うことができる。
【０００９】
このとき、好ましくは、突起部は、シール材の上側部分に設けられている。この場合には、ラジエータがラジエータサイドサポートに更に支持されやすくなるため、ラジエータの組み付けをより一層容易に行うことができる。
【発明の効果】
【００１０】
本発明によれば、ボデーへのラジエータの組み付けを容易に行うことにより、生産性を向上させることができる。
【図面の簡単な説明】
【００１１】
【図１】本発明に係るラジエータ組付構造の一実施形態を示す斜視図である。
【図２】図１に示したラジエータ組付構造の一部分解斜視図である。
【発明を実施するための形態】
【００１２】
以下、本発明に係るラジエータ組付構造の好適な実施形態について、図面を参照して詳細に説明する。
【００１３】
図１は、本発明に係るラジエータ組付構造の一実施形態を示す斜視図である。図２は、図１に示したラジエータ組付構造の一部分解斜視図である。各図において、本実施形態のラジエータ組付構造１は、ラジエータ２を車両のボデー（図示せず）に組み付ける構造である。ラジエータ２は、枠体状のラジエータサポート部材３を介してボデーに組み付けられる。
【００１４】
ラジエータ２は、クーリングモジュールと称される。ラジエータ２は、特に図示はしないが、ラジエータ本体、コンデンサ及び電動ファンを有している。ラジエータ本体は、電動ファンで吸い込んだ外気によりエンジン冷却水を冷やす熱交換器であり、コンデンサは、電動ファンで吸い込んだ外気によりエアコン用の高圧冷媒を冷やす熱交換器である。
【００１５】
ラジエータ２の下面及び上面には、ラジエータ２をラジエータサポート部材３に取り付けるための取付ピン４，５がそれぞれ左右両側に２つずつ突設されている。
【００１６】
ラジエータ２の両側面には、シール材６がラジエータ２の上下方向に延びるように貼り付けられている。シール材６は、車両のアイドリング時にラジエータ２とラジエータサポート部材３との間から熱風が回り込むことを防止するための部材である。シール材６は、例えば発砲ＥＰＤＭ（エチレン−プロピレン−ジエンゴム）等のゴムで形成されている。このようなシール材６を設けることにより、アイドリング時にラジエータ２の前面側に熱風が回り込むことが防止されるため、ラジエータ２の前面部の温度が上がって冷却性能が低下することが防止される。
【００１７】
各シール材６の上側部分には、ラジエータ２の側方に突出する直方体状の突起部７が設けられている。突起部７は、ラジエータ２をラジエータサポート部材３に支持するためのものである。シール材６はゴムで形成されているため、突起部７は弾性変形可能となっている。
【００１８】
ラジエータサポート部材３は、ボデーに取り付けられる。ラジエータサポート部材３は、Ｕ字型のラジエータサイドサポート８と、このラジエータサイドサポート８の上端部に連結されるラジエータアッパサポート９とを有している。
【００１９】
ラジエータサイドサポート８は、底部８ａと、この底部８ａの両端から上方に延びる左右１対の側部８ｂとからなっている。底部８ａには、ラジエータ２の各取付ピン４が挿入される２つの取付穴１０が左右両側に形成されている。
【００２０】
両側部８ｂには、シール材６の突起部７と嵌合する挿通孔（穴部）１１が形成されている。挿通孔１１は、突起部７の形状（直方体状）に対応して矩形状をなしている。なお、突起部７の形状としては、特に直方体状には限られず、円柱状等であっても良い。この場合、挿通孔１１は、突起部７に対応する形状をなすこととなる。
【００２１】
ラジエータアッパサポート９は、例えばボルト１２によりラジエータサイドサポート８の両側部８ｂの上端部に連結される。ラジエータアッパサポート９には、ラジエータ２の各取付ピン５が挿入される２つの取付穴（図示せず）が左右両側に形成されている。
【００２２】
以上のようなラジエータ組付構造１において、ラジエータ２をラジエータサポート部材３に組み付ける場合は、まずラジエータ２の各取付ピン４をラジエータサイドサポート８の底部８ａの各取付穴１０にゴムブッシュ（図示せず）を介して差し込み、その状態で各シール材６の突起部７をラジエータサイドサポート８の両側部８ｂの挿通孔１１に嵌め込む。このとき、シール材６はゴムで形成されているため、突起部７は変形して撓んだ状態で挿通孔１１に嵌まり込むようになる。
【００２３】
ラジエータ２の各取付ピン４がラジエータサイドサポート８の各取付穴１０に挿入されるだけでは、ラジエータ２をラジエータサイドサポート８の底部８ａに対して自立した状態とすることはできない。しかし、各シール材６の突起部７を両側部８ｂの挿通孔１１に嵌め込むことで、ラジエータ２がラジエータサイドサポート８に支持されるため、ラジエータ２が底部８ａに対して自立した状態となる。
【００２４】
このとき、ラジエータ２の両側面に貼り付けられた２つのシール材６の上側部分に突起部７をそれぞれ設けるようにしたので、ラジエータ２をラジエータサイドサポート８に確実に支持することができる。
【００２５】
そして、その状態でラジエータ２の各取付ピン５をラジエータアッパサポート９の各取付穴（図示せず）にゴムブッシュ（図示せず）を介して差し込むと共に、ボルト１２によってラジエータアッパサポート９とラジエータサイドサポート８とを連結する。以上により、ラジエータ２がラジエータサポート部材３を介してボデーに組み付けることとなる。
【００２６】
以上のように本実施形態にあっては、ラジエータ２の両側面に貼り付けられたシール材６に突起部７を設けると共に、ラジエータサイドサポート８の両側部８ｂに、突起部７と嵌合する挿通孔１１を形成し、突起部７を挿通孔１１に嵌め込むことで、ラジエータ２をラジエータサイドサポート８に支持するようにしたので、組付用治具を使用したり、突起を出して他部品に引っ掛けなくても、ラジエータ２を自立させることができる。このため、組付用治具等の別部品が不要となると共に、作業者がラジエータ２を手で持って支えなくて済む。また、ラジエータ２をラジエータサイドサポート８に支持する際には、突起部７を撓ませて簡単に挿通孔１１に嵌め込むことができる。以上により、ボデーへのラジエータ２の組み付けを容易に且つ安価に行うことができる。
【００２７】
また、シール材６の突起部７をラジエータサイドサポート８の挿通孔１１に嵌め込むことで、ラジエータ２をラジエータサイドサポート８に支持するので、ラジエータ２の後側にラジエータ２を支持するための壁部を設けなくて済む。このため、ラジエータ組付構造１の重量増大が抑えられると共に、スペース的にも有利となる。
【００２８】
さらに、シール材６の突起部７をラジエータサイドサポート８の挿通孔１１に嵌め込むので、風圧等によるシール材６の捲れが防止される。従って、シール材６のシール性を向上させることができる。
【００２９】
なお、本発明は、上記実施形態に限定されるものではない。例えば上記実施形態では、シール材６の上側部分に突起部７を設けたが、特にそれには限られず、突起部７をシール材６の中央部分または下側部分に設けても良い。
【００３０】
また、上記実施形態では、ラジエータサイドサポート８の両側部８ｂに、ラジエータサイドサポート８を突き抜けた挿通孔１１を形成したが、特に突起部７と嵌合する穴部としては、特にそのような挿通孔１１には限られず、凹状の穴部を形成しても良い。
【００３１】
さらに、上記実施形態では、ラジエータ２の縁部の一部であるラジエータ２の両側面に固定されたシール材６に突起部７を設けるようにしたが、ラジエータ２の縁部の他の一部であるラジエータ２の上面にシール材が固定されている場合には、ラジエータの上方に突出する突起部をシール材に設け、その突起部と嵌合する挿通孔をラジエータアッパサポート９に形成しても良い。
【００３２】
また、上記実施形態は、ラジエータ２の上部をラジエータアッパサポート９に直接固定するラジエータ組付構造１であるが、本発明のラジエータ組付構造は、ラジエータの上部をブラケットを介してラジエータアッパサポートに固定するものにも適用可能である。
【符号の説明】
【００３３】
１…ラジエータ組付構造、２…ラジエータ、３…ラジエータサポート部材、６…シール材、７…突起部、８…ラジエータサイドサポート、１１…挿通孔（穴部）。
【図１】
2014210466.tif 000003
【図２】
2014210466.tif 000004